(57)【特許請求の範囲】
【請求項１】
支持部材に軸受を介して支持部材より小径の回転子を回転自在に支持するとともに、支持部材に固定子を固定し、かつ回転子の回転子鉄心の一端面から突出した小径部に、外周にエレベータ昇降路内を昇降する乗りかごを吊り下げるためのロープが巻回されたロープ溝を有する筒状体を取り付けてシーブを形成するとともに、回転子にシーブより大径のブレーキドラムを形成し、支持部材のシーブ側側面にブレーキドラムの側面を覆うブレーキドラムカバーを取り付けた偏平形エレベータ用巻上機において、
シーブのブレーキドラム側の端部に、溝を設け、この溝にブレーキドラムカバーの内端を挿入したことを特徴とする偏平形エレベータ用巻上機。
【請求項２】
支持部材に軸受を介して支持部材より小径の回転子を回転自在に支持するとともに、支持部材に固定子を固定し、かつ回転子の回転子鉄心の一端面から突出した小径部に、外周にエレベータ昇降路内を昇降する乗りかごを吊り下げるためのロープが巻回されたロープ溝を有する筒状体を取り付けてシーブを形成するとともに、回転子にシーブより大径のブレーキドラムを形成し、支持部材のシーブ側側面にブレーキドラムの側面を覆うブレーキドラムカバーを取り付けた偏平形エレベータ用巻上機において、
シーブのブレーキドラム側の端部に、溝を設け、この溝にブレーキドラムカバーの内端を挿入し、該内端に外側への折り返し部を形成するとともに、前記溝に該折り返し部を収納する収納部を設けたことを特徴とする偏平形エレベータ用巻上機。
【発明の詳細な説明】
【技術分野】
【０００１】
この発明は、偏平形エレベータ用巻上機に関するものである。
【背景技術】
【０００２】
図３（ａ），（ｂ）は特許文献１等に示された従来の偏平形エレベータ用巻上機の正面図及び縦断側面図、図４は図３（ｂ）のＡ部拡大図を示し、１は支持部材であり、中空の軸部１ａと、軸部１ａの一端から径方向に広がった円板状の固定部１ｂとからなり、エレベータ昇降路等に固定される。回転子２は回転子鉄心３の外周に永久磁石４を設けて構成され、回転子２は軸受５を介して支持部材１の軸部１ａに回転自在に支持される。回転子鉄心３の一端側に形成された突出した小径部３ａにはシーブ６が嵌合固定され、シーブ６の外周にはロープ溝６ａが形成され、このロープ溝６ａにはエレベータ昇降路内を昇降する乗りかごを吊り下げるためのロープ７が巻回される。又、回転子鉄心３の小径部３ａ側端部及び外周部にはシーブ６より太径のブレーキドラム８が形成され、ブレーキドラム８の外径は回転子２より大きく、支持部材１の外径より小さい。一方、固定子１１は固定子鉄心９と固定子巻線１０から構成され、固定子鉄心９は支持部材１に取付ボルト１２により一体的に取り付けられる。又、支持部材１のシーブ６側側面には、ブレーキドラム８の側面を覆うブレーキドラムカバー１３が取り付けられる。
【０００３】
固定子１１と回転子２からなる巻上機のモータ部分は鉄心径に比べて鉄心長が極端に短い偏平形となっている。又、図示しないブレーキパッドがブレーキドラム８に係合し、回転子２、即ち巻上機は制動される。
【特許文献１】特開２００３−１３４７６８号公報
【発明の開示】
【発明が解決しようとする課題】
【０００４】
前記した従来の偏平形エレベータ用巻上機においては、支持部材１のシーブ６側側面に、ブレーキドラム８の側面を覆うブレーキドラムカバー１３が設けられ、しかもブレーキドラムカバー１３の内径がシーブ６の外径より大きいため、シーブ６の外周のロープ溝６ａに巻回されたロープ７に含まれている油がシーブ６の外周とブレーキドラムカバー１３の内周との間を通って、ブレーキドラム８の側面に付着する可能性が高く、このブレーキドラム８の側面に付着した油は遠心力によりブレーキドラム８の外周のブレーキパッドとの摺動面に流れ、ブレーキ力を著しく減少させる恐れがあった。
【０００５】
この発明は上記のような課題を解決するために成されたものであり、乗りかごを吊り下げるためのロープに含まれる油がブレーキドラムの側面に付着するのを防止し、ブレーキ力の減少を防止することができる偏平形エレベータ用巻上機を得ることを目的とする。
【課題を解決するための手段】
【０００６】
この発明の請求項１に係る偏平形エレベータ用巻上機は、支持部材に軸受を介して支持部材より小径の回転子を回転自在に支持するとともに、支持部材に固定子を固定し、かつ回転子の回転子鉄心の一端面から突出した小径部に外周にエレベータ昇降路内を昇降する乗りかごを吊り下げるためのロープが巻回されたロープ溝を有する筒状体を取り付けてシーブを形成するとともに、回転子にシーブより大径のブレーキドラムを形成し、支持部材のシーブ側側面にブレーキドラムの側面を覆うブレーキドラムカバーを取り付けた偏平形エレベータ用巻上機において、
シーブのブレーキドラム側端部にカバー内端挿入用の溝を設け、この溝にブレーキドラムカバーの内端を挿入したものである。
【０００７】
請求項２に係る偏平形エレベータ用巻上機は、前記ブレーキドラムカバーの内端に外側への折り返し部を設けるとともに、前記カバー内端挿入用の溝に前記折り返し部を収納する収納部を設けたものである。
【発明の効果】
【０００８】
以上のようにこの発明の請求項１によれば、シーブのブレーキドラム側部分に溝を設け、この溝にブレーキドラムカバーの内端を挿入しており、ロープとブレーキドラムの側面との間にブレーキドラムカバーが位置しており、ロープの油がブレーキドラムの側面に付着するのを防止することができ、油がブレーキドラムの外周面に付着するのが防止され、ブレーキ力の減少が防止される。
【０００９】
請求項２によれば、シーブの溝に挿入されるブレーキドラムカバーの内端に外側への折り返し部を形成するとともに、前記溝に該折り返し部を収納する収納部を設けており、ロープの油のブレーキドラムカバーの側面への付着は、ロープとブレーキドラムとの間に位置するブレーキドラムカバーによって阻止されるとともに、ブレーキドラムカバーの内端の折り返し部とシーブの溝の該折り返し部の収納部とによっても阻止され、油のブレーキドラムカバーの側面及び周面への付着は一層確実に防止され、ブレーキ力の減少はさらに確実に防止される。
【発明を実施するための最良の形態】
【００１０】
実施最良形態１
以下、この発明を実施するための最良の形態を図面とともに説明する。図１は
この発明の実施最良形態１による偏平形エレベータ用巻上機の縦断側面一部拡大図を示し、６ｂはシーブ６のブレーキドラム８側部分に設けられた溝であり、１４は支持部材１のシーブ６側側面に取り付けられたブレーキドラムカバーである。ブレーキドラムカバー１４はブレーキドラム８の側面を覆い、その内端は溝６ｂに挿入されている。その他の構成は従来と同様である。
【００１１】
実施最良形態１によれば、ブレーキドラムカバー１４の内端をシーブ６のブレーキドラム８側部分に設けられた溝６ｂに挿入しており、ロープ７とブレーキドラム８の側面との間はブレーキドラムカバー１４により仕切られており、ロープ７の油がブレーキドラム８の側面や周面に付着するのを防止することができ、ブレーキ力の低下を防止することができる。
【００１２】
実施最良形態２
図２はこの発明の実施最良形態２による偏平形エレベータ用巻上機の縦断側面一部拡大図を示し、６ｃはシーブ６のブレーキドラム８側に設けられて溝であり、１５は支持部材１のシーブ６側側面に取り付けられたブレーキドラムカバーである。ブレーキドラムカバー１５はブレーキドラム８の側面を覆い、その内端は溝６ｃに挿入されるとともに、外側への折り返し部１５ａが形成され、この折り返し部１５ａは前記溝６ｃに形成された収納部６ｄに収納される。その他の構成は従来と同様である。
【００１３】
実施最良形態２によれば、ブレーキドラムカバー１５の内端はシーブ６の溝６ｃに挿入されるとともに、外側への折り返し部１５ａが形成され、この折り返し部１５ａは溝６ｃに形成された収納部６ｄに収納されており、ロープ７の油はロープ７とブレーキドラム８との間に設けられたブレーキドラムカバー１５によりブレーキドラム８の側面や周面への付着が防止され、またブレーキドラムカバー１５の内端の折り返し部１５ａと溝６ｃの収納部６ｄとによってもロープ７の油のブレーキドラム８の側面への付着が防止され、ブレーキドラム８の側面や周面への油の付着が一層確実に防止され、ブレーキ力の減少は確実に防止される。
【図面の簡単な説明】
【００１４】
【図１】この発明の実施最良形態１による偏平形エレベータ用巻上機の縦断側面一部拡大図である。
【図２】実施最良形態２による偏平形エレベータ用巻上機の縦断側面一部拡大図である。
【図３】特許文献１等に示された従来の偏平形エレベータ用巻上機の正面図及び縦断側面図である。
【図４】図３（ｂ）のＡ部拡大図である。
【符号の説明】
【００１５】
１…支持部材
２…回転子
３…回転子鉄心
３ａ…小径部
５…軸受
６…シーブ
６ａ…ロープ溝
６ｂ、６ｃ…溝
６ｄ…収納部
７…ロープ
８…ブレーキドラム
１１…固定子
１４，１５…ブレーキドラムカバー
１５ａ…折り返し部
【図１】
0005458512.tif 000002
【図２】
0005458512.tif 000003
【図３】
0005458512.tif 000004
【図４】
0005458512.tif 000005